(57)【要約】【課題】照明器具で照らされる領域の明るさを精度よく維持することのできる照明システムを提供すること。【解決手段】照明器具１５０と、照明制御装置１２０と、撮像装置１４０とを備える照明システム１００であって、照明制御装置１２０は、撮像装置１４０によって撮像された第一画像と第二画像との間の単位領域ごとの輝度値の変化の大きさを示す変化指標値を算出する算出部１２２と、変化指標値に示される変化の大きさが第一閾値以上の少なくとも１つの単位領域で構成される有効領域を特定する特定部１２４と、撮像装置１４０が撮像することで得られた画像の、特定部１２４によって特定された有効領域に含まれる画素の輝度値を用いて、照明器具１５０に指示すべき調光率を決定する決定部１２６とを有し、照明器具１５０の点灯制御部１５２は、決定部１２６によって決定された調光率で光源１５５を点灯させる。【選択図】図２
2015088252.tif 000002
【特許請求の範囲】
【請求項１】
点灯制御部および前記点灯制御部による制御に従って点灯する光源を有する照明器具と、
前記照明器具に調光率を指示することで、前記照明器具に前記調光率で点灯させる照明制御装置と、
前記照明器具によって照らされる領域を撮像する撮像装置とを備える照明システムであって、
前記照明制御装置は、
前記照明器具に第一調光率で点灯させた状態において前記撮像装置によって撮像された第一画像と、前記照明器具に前記第一調光率とは異なる第二調光率で点灯させた状態において前記撮像装置によって撮像された第二画像との間の、１以上の画素で構成される単位領域ごとの輝度値の変化の大きさを示す変化指標値を算出する算出部と、
前記算出部から得られる前記単位領域ごとの前記変化指標値から、前記変化指標値に示される前記変化の大きさが第一閾値以上の少なくとも１つの前記単位領域で構成される有効領域を特定する特定部と、
前記撮像装置が撮像することで得られた画像を構成する複数の画素のうちの、前記特定部によって特定された有効領域に含まれる画素の輝度値を用いて、前記照明器具に指示すべき調光率を決定する決定部とを有し、
前記照明器具の前記点灯制御部は、前記決定部によって決定された調光率で前記光源を点灯させる
照明システム。
【請求項２】
前記算出部は、前記単位領域ごとの、前記第一画像から得られる輝度値と前記第二画像から得られる輝度値の一方に対する他方の比を前記変化指標値として算出する
請求項１記載の照明システム。
【請求項３】
前記算出部は、前記単位領域ごとの、前記第一画像から得られる輝度値と前記第二画像から得られる輝度値との差分を前記変化指標値として算出する
請求項１記載の照明システム。
【請求項４】
前記決定部は、前記有効領域に含まれる前記単位領域の数が所定の数未満である場合、前記撮像装置が撮像することで得られた画像を構成する複数の画素のうちの、前記有効領域に含まれる画素の輝度値および前記有効領域以外の領域に含まれる画素の輝度値を用いて、前記照明器具に指示すべき調光率を決定する
請求項１〜３のいずれか１項に記載の照明システム。
【請求項５】
前記特定部は、前記算出部から得られる前記単位領域ごとの前記変化指標値から、前記変化指標値に示される前記変化の大きさが前記第一閾値より小さな１以上の前記単位領域で構成される無効領域を特定することで、前記有効領域を特定し、
前記決定部は、前記無効領域に含まれる前記単位領域の数が所定の数以上である場合、前記撮像装置が撮像することで得られた画像を構成する複数の画素のうちの、前記有効領域に含まれる画素の輝度値および前記無効領域に含まれる画素の輝度値を用いて、前記照明器具に指示すべき調光率を決定する
請求項１〜３のいずれか１項に記載の照明システム。
【請求項６】
前記算出部は、前記第一画像における前記単位領域である第一領域に含まれる複数の画素の輝度値の平均値と、前記第二画像における、前記第一領域に対応する位置の前記単位領域である第二領域に含まれる複数の画素の輝度値の平均値とを用いて、前記第一画像と前記第二画像との間の前記単位領域ごとの前記変化指標値を算出する
請求項１〜５のいずれか１項に記載の照明システム。
【請求項７】
前記算出部は、前記第一画像における前記単位領域である第一領域に含まれる複数の画素のうちの１つの画素の輝度値と、前記第二画像における、前記第一領域に対応する位置の前記単位領域である第二領域に含まれる複数の画素のうちの１つの画素の輝度値とを用いて、前記第一画像と前記第二画像との間の前記単位領域ごとの前記変化指標値を算出する
請求項１〜５のいずれか１項に記載の照明システム。
【請求項８】
前記特定部は、前記算出部から得られる前記単位領域ごとの前記変化指標値から、前記変化指標値に示される前記変化の大きさが第一閾値以上で、かつ、前記第一閾値よりも大きな第二閾値以下の少なくとも１つの前記単位領域で構成される有効領域を特定する
請求項１〜７のいずれか１項に記載の照明システム。
【請求項９】
照明器具に調光率を指示することで、前記照明器具に前記調光率で点灯させる照明制御装置であって、
前記照明器具に第一調光率で点灯させた状態において、前記照明器具によって照らされる領域を撮像する撮像装置によって撮像された第一画像と、前記照明器具に前記第一調光率とは異なる第二調光率で点灯させた状態において前記撮像装置によって撮像された第二画像との間の、１以上の画素で構成される単位領域ごとの輝度値の変化の大きさを示す変化指標値を算出する算出部と、
前記算出部から得られる前記単位領域ごとの前記変化指標値から、前記変化指標値に示される前記変化の大きさが第一閾値以上の少なくとも１つの前記単位領域で構成される有効領域を特定する特定部と、
前記撮像装置から得られた画像を構成する複数の画素のうちの、前記特定部によって特定された有効領域に含まれる画素の輝度値を用いて、前記照明器具に指示すべき調光率を決定する決定部とを備える
照明制御装置。
【請求項１０】
点灯制御部および前記点灯制御部による制御に従って点灯する光源を有する照明器具と、前記照明器具に調光率を指示することで、前記照明器具に前記調光率で点灯させる照明制御装置と、前記照明器具によって照らされる領域を撮像する撮像装置とを備える照明システムにおける照明器具の制御方法であって、
前記撮像装置が、前記照明器具が第一調光率で点灯した状態において撮像することで第一画像を得る第一撮像ステップと、
前記撮像装置が、前記照明器具が前記第一調光率とは異なる第二調光率で点灯した状態において撮像することで第二画像を得る第二撮像ステップと、
前記照明制御装置が、前記第一画像と前記第二画像との間の、１以上の画素で構成される単位領域ごとの輝度値の変化の大きさを示す変化指標値を算出する算出ステップと、
前記照明制御装置が、前記算出ステップにおいて算出された前記単位領域ごとの前記変化指標値から、前記変化指標値に示される前記変化の大きさが第一閾値以上の少なくとも１つの前記単位領域で構成される有効領域を特定する特定ステップと、
前記照明制御装置が、前記撮像装置が撮像することで得られた画像を構成する複数の画素のうちの、前記特定ステップにおいて特定された有効領域に含まれる画素の輝度値を用いて、前記照明器具に指示すべき調光率を決定する決定ステップと、
前記照明器具の前記点灯制御部が、前記決定ステップにおいて決定された調光率で前記光源を点灯させる点灯ステップと
を含む照明器具の制御方法。
【発明の詳細な説明】
【技術分野】
【０００１】
本発明は、照明器具と照明器具を制御する照明制御装置とを備える照明システムに関する。
【背景技術】
【０００２】
従来、天井に配設されたＬＥＤ照明等の照明器具の調光率を制御する照明システムが存在する。
【０００３】
例えば、特許文献１記載の照明システムでは、照明領域を撮像することで照明領域の明るさを検出し、その検出結果に基づいて、照明器具における光源の制御に用いられる調光レベルを決定する。
【先行技術文献】
【特許文献】
【０００４】
【特許文献１】特開２０１１−２４９１３０号公報
【発明の概要】
【発明が解決しようとする課題】
【０００５】
上記従来の技術によれば、照明領域の明るさと画像の平均輝度との直線的な比例関係を保つために、照明器具の光出力を最大にしたときに輝度が飽和している画素は、比例関係がない画素として除外し、残りの画素を用いて明るさ指標値を算出する。
【０００６】
つまり、上記従来の技術では、照明領域を撮像することで得られた一枚の画像を構成する複数の画素のうち、画素値が所定の閾値よりも大きな画素を除外し、残りの画素を用いて明るさ指標値を算出する。
【０００７】
しかしながら、一般家庭のリビングルーム等の照明領域には、互いに光の反射率の異なる複数の物体が存在し得るため、例えば、光の反射率が非常に小さな物体が照明領域の比較的に広い範囲を占める場合もある。
【０００８】
この場合、実際には照明領域が明るい環境下にある場合であっても、上記従来の技術では、暗いと判断され、その結果、調光レベルが本来的に必要な値よりも大きく設定される可能性がある。
【０００９】
本発明は、上記従来の課題を考慮し、照明器具で照らされる領域の明るさを精度よく維持することのできる照明システムおよび照明制御装置を提供する。
【課題を解決するための手段】
【００１０】
本発明の一態様に係る照明システムは、点灯制御部および前記点灯制御部による制御に従って点灯する光源を有する照明器具と、前記照明器具に調光率を指示することで、前記照明器具に前記調光率で点灯させる照明制御装置と、前記照明器具によって照らされる領域を撮像する撮像装置とを備える照明システムであって、前記照明制御装置は、前記照明器具に第一調光率で点灯させた状態において前記撮像装置によって撮像された第一画像と、前記照明器具に前記第一調光率とは異なる第二調光率で点灯させた状態において前記撮像装置によって撮像された第二画像との間の、１以上の画素で構成される単位領域ごとの輝度値の変化の大きさを示す変化指標値を算出する算出部と、前記算出部から得られる前記単位領域ごとの前記変化指標値から、前記変化指標値に示される前記変化の大きさが第一閾値以上の少なくとも１つの前記単位領域で構成される有効領域を特定する特定部と、前記撮像装置が撮像することで得られた画像を構成する複数の画素のうちの、前記特定部によって特定された有効領域に含まれる画素の輝度値を用いて、前記照明器具に指示すべき調光率を決定する決定部とを有し、前記照明器具の前記点灯制御部は、前記決定部によって決定された調光率で前記光源を点灯させる。
【００１１】
また、本発明の一態様に係る照明システムにおいて、前記算出部は、前記単位領域ごとの、前記第一画像から得られる輝度値と前記第二画像から得られる輝度値の一方に対する他方の比を前記変化指標値として算出するとしてもよい。
【００１２】
また、本発明の一態様に係る照明システムにおいて、前記算出部は、前記単位領域ごとの、前記第一画像から得られる輝度値と前記第二画像から得られる輝度値との差分を前記変化指標値として算出するとしてもよい。
【００１３】
また、本発明の一態様に係る照明システムにおいて、前記決定部は、前記有効領域に含まれる前記単位領域の数が所定の数未満である場合、前記撮像装置が撮像することで得られた画像を構成する複数の画素のうちの、前記有効領域に含まれる画素の輝度値および前記有効領域以外の領域に含まれる画素の輝度値を用いて、前記照明器具に指示すべき調光率を決定するとしてもよい。
【００１４】
また、本発明の一態様に係る照明システムにおいて、前記特定部は、前記算出部から得られる前記単位領域ごとの前記変化指標値から、前記変化指標値に示される前記変化の大きさが前記第一閾値より小さな１以上の前記単位領域で構成される無効領域を特定することで、前記有効領域を特定し、前記決定部は、前記無効領域に含まれる前記単位領域の数が所定の数以上である場合、前記撮像装置が撮像することで得られた画像を構成する複数の画素のうちの、前記有効領域に含まれる画素の輝度値および前記無効領域に含まれる画素の輝度値を用いて、前記照明器具に指示すべき調光率を決定するとしてもよい。
【００１５】
また、本発明の一態様に係る照明システムにおいて、前記算出部は、前記第一画像における前記単位領域である第一領域に含まれる複数の画素の輝度値の平均値と、前記第二画像における、前記第一領域に対応する位置の前記単位領域である第二領域に含まれる複数の画素の輝度値の平均値とを用いて、前記第一画像と前記第二画像との間の前記単位領域ごとの前記変化指標値を算出するとしてもよい。
【００１６】
また、本発明の一態様に係る照明システムにおいて、前記算出部は、前記第一画像における前記単位領域である第一領域に含まれる複数の画素のうちの１つの画素の輝度値と、前記第二画像における、前記第一領域に対応する位置の前記単位領域である第二領域に含まれる複数の画素のうちの１つの画素の輝度値とを用いて、前記第一画像と前記第二画像との間の前記単位領域ごとの前記変化指標値を算出するとしてもよい。
【００１７】
また、本発明の一態様に係る照明システムにおいて、前記特定部は、前記算出部から得られる前記単位領域ごとの前記変化指標値から、前記変化指標値に示される前記変化の大きさが第一閾値以上で、かつ、前記第一閾値よりも大きな第二閾値以下の少なくとも１つの前記単位領域で構成される有効領域を特定するとしてもよい。
【００１８】
また、本発明の一態様に係る照明制御装置は、照明器具に調光率を指示することで、前記照明器具に前記調光率で点灯させる照明制御装置であって、前記照明器具に第一調光率で点灯させた状態において、前記照明器具によって照らされる領域を撮像する撮像装置によって撮像された第一画像と、前記照明器具に前記第一調光率とは異なる第二調光率で点灯させた状態において前記撮像装置によって撮像された第二画像との間の、１以上の画素で構成される単位領域ごとの輝度値の変化の大きさを示す変化指標値を算出する算出部と、前記算出部から得られる前記単位領域ごとの前記変化指標値から、前記変化指標値に示される前記変化の大きさが第一閾値以上の少なくとも１つの前記単位領域で構成される有効領域を特定する特定部と、前記撮像装置から得られた画像を構成する複数の画素のうちの、前記特定部によって特定された有効領域に含まれる画素の輝度値を用いて、前記照明器具に指示すべき調光率を決定する決定部とを備える。
【００１９】
また、本発明の一態様に係る照明器具の制御方法は、点灯制御部および前記点灯制御部による制御に従って点灯する光源を有する照明器具と、前記照明器具に調光率を指示することで、前記照明器具に前記調光率で点灯させる照明制御装置と、前記照明器具によって照らされる領域を撮像する撮像装置とを備える照明システムにおける照明器具の制御方法であって、前記撮像装置が、前記照明器具が第一調光率で点灯した状態において撮像することで第一画像を得る第一撮像ステップと、前記撮像装置が、前記照明器具が前記第一調光率とは異なる第二調光率で点灯した状態において撮像することで第二画像を得る第二撮像ステップと、前記照明制御装置が、前記第一画像と前記第二画像との間の、１以上の画素で構成される単位領域ごとの輝度値の変化の大きさを示す変化指標値を算出する算出ステップと、前記照明制御装置が、前記算出ステップにおいて算出された前記単位領域ごとの前記変化指標値から、前記変化指標値に示される前記変化の大きさが第一閾値以上の少なくとも１つの前記単位領域で構成される有効領域を特定する特定ステップと、前記照明制御装置が、前記撮像装置が撮像することで得られた画像を構成する複数の画素のうちの、前記特定ステップにおいて特定された有効領域に含まれる画素の輝度値を用いて、前記照明器具に指示すべき調光率を決定する決定ステップと、前記照明器具の前記点灯制御部が、前記決定ステップにおいて決定された調光率で前記光源を点灯させる点灯ステップとを含む。
【発明の効果】
【００２０】
本発明は、照明器具で照らされる領域の明るさを精度よく維持することのできる照明システムおよび照明制御装置を提供することができる。
【図面の簡単な説明】
【００２１】
【図１】図１は、実施の形態に係る照明システムの構成概要を示す図である。
【図２】図２は、実施の形態に係る照明システムの機能的な構成を示すブロック図である。
【図３】図３は、実施の形態に係る照明システムの基本的な動作の流れを示すフロー図である。
【図４】図４は、実施の形態に係る照明システムの具体的な動作の流れの一例を示すフロー図である。
【図５】図５は、実施の形態に係る照明制御装置による変化指標値の算出例を示す図である。
【図６】図６は、複数の画素で構成される単位領域ごとの変化指標値の算出例を示す第１の図である。
【図７】図７は、複数の画素で構成される単位領域ごとの変化指標値の算出例を示す第２の図である。
【図８】図８は、３つの照明器具を備える照明システムの構成例を示す図である。
【発明を実施するための形態】
【００２２】
以下、実施の形態に係る照明システムについて、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２３】
なお、各図は模式図であり、必ずしも厳密に図示されたものではない。また、各図において、実質的に同一の構成に対しては同一の符号を付しており、重複する説明は省略または簡略化される場合がある。
【００２４】
（実施の形態）
以下、実施の形態に係る照明システムについて説明する。
【００２５】
［照明システムの構成］
まず、図１および図２を用いて、実施の形態に係る照明システムの構成について説明する。
【００２６】
図１は、実施の形態に係る照明システム１００の構成概要を示す図である。
【００２７】
具体的には、図１の（ａ）は、照明システム１００の構成要素のレイアウトの一例を示す上面図であり、図１の（ｂ）は、図１の（ａ）に対応する側面図である。また、照明システム１００は、一般家庭のリビングルーム等の照明が必要な空間（部屋）に設置されるシステムであるが、図１では、当該空間に存在し得る什器および人物等の物体の図示は省略されている。
【００２８】
図２は、実施の形態に係る照明システム１００の機能的な構成を示すブロック図である。
【００２９】
図１および図２に示すように、実施の形態に係る照明システム１００は、照明器具１５０と、照明制御装置１２０と、撮像装置１４０とを備える。
【００３０】
なお、照明システム１００の特徴を明確に説明するために、本実施の形態の照明システム１００が備える照明器具１５０の数は１としているが、照明システム１００が備える照明器具１５０の数は２以上であってもよい。
【００３１】
照明器具１５０は、点灯制御部１５２および点灯制御部１５２による制御に従って点灯する光源１５５を有する。
【００３２】
照明器具１５０は、例えば、１以上のＬＥＤ（Ｌｉｇｈｔ  Ｅｍｉｔｔｉｎｇ  Ｄｉｏｄｅ）を有する発光装置を光源１５５として備えるシーリングライトである。この場合、点灯制御部１５２は、当該発光装置の点灯、消灯、および調光等の動作を制御する駆動回路（点灯回路）である。
【００３３】
撮像装置１４０は、照明器具１５０によって照らされる領域を撮像する装置である。例えば、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサ等の固体撮像素子によって撮像し、複数の画素で構成される画像を出力する装置である。撮像装置１４０が撮像することで得られる画像は、照明制御装置１２０に取得され、照明器具１５０の調光率の決定に用いられる。
【００３４】
なお、調光率とは、照明の明るさを調整するための変数の一種であり、数値が大きいほど（最大値は１００％）、照明の明るさを増加させることのできる変数である。また、調光率は、例えば“調光レベル”または“調光比”等と表現することもできる。
【００３５】
例えば、照明制御装置１２０が、照明器具１５０の調光率として“１００％”を決定した場合、調光率“１００％”を示す信号が照明制御装置１２０から照明器具１５０へ送信される。照明器具１５０の点灯制御部１５２は、当該信号に従い、光源１５５の光出力が最大となるように光源１５５を制御する。
【００３６】
なお、点灯制御部１５２は、例えばＰＷＭ（Ｐｕｌｓｅ  Ｗｉｄｔｈ  Ｍｏｄｕｌａｔｉｏｎ）信号によって光源１５５の光出力を制御するが、当該制御の手法に特に限定はなく、照明器具１５０における調光制御がデジタル信号によってなされてもよい。
【００３７】
また、本実施の形態では、例えば図１の（ａ）に示される点線の矩形で示される照明領域２００の画像（矩形の画像）が、照明制御装置１２０の処理対象の画像として扱われる。
【００３８】
照明制御装置１２０は、照明器具１５０に調光率を指示することで、照明器具１５０に当該調光率で点灯させることのできる装置である。
【００３９】
照明制御装置１２０は、算出部１２２と、特定部１２４と、決定部１２６とを有する。また、本実施の形態では、照明制御装置１２０は、算出部１２２等が画像処理または情報処理に利用する記憶部１２８を有する。
【００４０】
算出部１２２は、第一画像と第二画像との間の、１以上の画素で構成される単位領域ごとの輝度値の変化の大きさを示す変化指標値を算出する。
【００４１】
なお、第一画像は、照明器具１５０に第一調光率で点灯させた状態において撮像装置１４０によって撮像された画像である。第二画像は、照明器具１５０に第一調光率とは異なる第二調光率で点灯させた状態において撮像装置１４０によって撮像された画像である。
【００４２】
また、算出部１２２は、記憶部１２８に格納された第一画像と第二画像とを用いて上記算出を行う。
【００４３】
特定部１２４は、算出部１２２から得られる単位領域ごとの変化指標値から、変化指標値に示される変化の大きさが閾値以上の少なくとも１つの単位領域で構成される有効領域を特定する。
【００４４】
特定部１２４により特定された有効領域を示す情報は、記憶部１２８に格納され、決定部１２６の下記の処理の際に参照される。
【００４５】
決定部１２６は、撮像装置１４０が撮像することで得られた画像を構成する複数の画素のうちの有効領域に含まれる画素の輝度値を用いて、照明器具１５０に指示すべき調光率を決定する。
【００４６】
つまり、本実施の形態に係る照明制御装置１２０は、照明領域２００の明るさを異ならせて撮像された２枚の画像の比較結果を用いて、照明器具１５０の調光率の調整を行うことができる。
【００４７】
なお、記憶部１２８は、照明制御装置１２０において、算出部１２２、特定部１２４、および決定部１２６から独立した構成要素として備えられなくてもよい。例えば、算出部１２２、特定部１２４、および決定部１２６のそれぞれに備えられた記憶領域によって記憶部１２８が実現されてもよい。
【００４８】
なお、図１に示す、照明システム１００のレイアウトは一例であり、他のレイアウトが採用されてもよい。例えば、撮像装置１４０が、照明器具１５０に配置されていてもよい。これにより、例えば、撮像装置１４０は、照明領域２００を上方からより均等に撮像することができ、その結果、例えば照明領域２００の明るさ検出の精度が向上される。
【００４９】
また、本実施の形態に係る照明制御装置１２０を構成する各構成要素（算出部１２２、特定部１２４、および決定部１２６）は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、通信インターフェース、Ｉ／Ｏポート、およびハードディスク等を備えるコンピュータ上で実行されるプログラム等のソフトウェアで実現されてもよく、または、電子回路等のハードウェアで実現されてもよい。後述する、その他の実施の形態に係る照明制御装置１２０についても同様である。
【００５０】
［照明システムの動作例］
以上のように構成された照明システム１００の動作について、図３〜図７を用いて説明する。
【００５１】
まず、図３を用いて、照明システム１００の基本的な動作の流れを説明する。
【００５２】
図３は、実施の形態に係る照明システム１００の基本的な動作の流れを示すフロー図である。
【００５３】
まず、撮像装置１４０が、照明器具１５０が第一調光率で点灯した状態において撮像することで第一画像（画像Ａ）を得る（Ｓ１０）。
【００５４】
具体的には、照明制御装置１２０が、照明器具１５０に第一調光率で点灯させ、その状態で、撮像装置１４０に、照明領域２００を撮像させる。
【００５５】
次に、撮像装置１４０が、照明器具１５０が第一調光率とは異なる第二調光率で点灯した状態において撮像することで第二画像（画像Ｂ）を得る（Ｓ１１）。
【００５６】
具体的には、照明制御装置１２０が、照明器具１５０に第二調光率で点灯させ、その状態で、撮像装置１４０に、照明領域２００を撮像させる。
【００５７】
このようにして得られた画像Ａおよび画像Ｂは、照明制御装置１２０に取得され、以下のように処理される。
【００５８】
算出部１２２は、画像Ａと画像Ｂとの間の単位領域ごとの輝度値の変化の大きさを示す変化指標値を算出する（Ｓ１２）。
【００５９】
つまり、算出部１２２により、画像Ａと画像Ｂとが単位領域ごとに比較され、その結果、例えば値が大きいほどまたは小さいほど、輝度値（明るさ）の変化が大きいことを示す変化指標値が、単位領域ごとに算出される。
【００６０】
特定部１２４は、算出部１２２により算出された単位領域ごとの変化指標値から、変化指標値に示される輝度値の変化の大きさが閾値以上の少なくとも１つの単位領域で構成される有効領域を特定する（Ｓ１３）。
【００６１】
つまり、特定部１２４は、撮像装置１４０に撮像される画像内の一部の領域であって、照明器具１５０の明るさの変化が適切に反映された輝度値を持つと考えられる領域を有効領域として特定する。
【００６２】
なお、特定部１２４は、照明器具１５０の明るさが変化しているにもかかわらず、輝度値の変化が比較的に小さい領域（無効領域）を特定することで、無効領域以外の領域である有効領域を特定することもできる。
【００６３】
決定部１２６は、撮像装置１４０が撮像することで得られた画像を構成する複数の画素のうちの有効領域に含まれる画素の輝度値を用いて、照明器具１５０に指示すべき調光率を決定する（Ｓ１４）。
【００６４】
決定部１２６は、例えば有効領域に含まれる全ての画素の輝度値の平均値と、目標とする輝度値とを比較し、比較結果を用いて調光率を決定する。
【００６５】
照明器具１５０の点灯制御部１５２は、決定部１２６により決定された調光率で光源１５５を点灯させる（Ｓ１５）。
【００６６】
次に、以上のような基本的な動作を実行する照明システム１００の具体的な動作例について、図４および図５を用いて説明する。
【００６７】
図４は、実施の形態に係る照明システム１００の具体的な動作の流れの一例を示すフロー図である。
【００６８】
図５は、実施の形態に係る照明制御装置１２０による変化指標値の算出例を示す図である。
【００６９】
照明システム１００において、例えば照明器具１５０、照明制御装置１２０、および撮像装置１４０の電源がオンにされた場合、撮像装置１４０の各種パラメータ（露光時間および絞り値など）のそれぞれが設定される（Ｓ１００）。
【００７０】
つまり、その後に実行される、明るさの異なる環境下における２回の撮像が、同じパラメータで撮像されるように、撮像装置１４０の各種パラメータが設定される。なお、例えばこれら各種パラメータを固定にする場合などにおいて、当該パラメータ設定処理（Ｓ１００）は省略されてもよい。
【００７１】
また、照明器具１５０および撮像装置１４０の電源のオンおよびオフは、例えば照明制御装置１２０の電源のオンおよびオフの切り替えに連動してもよい。
【００７２】
次に、照明器具１５０の点灯制御部１５２は、照明制御装置１２０からの指示に従い、ＰＷＭ信号により、調光率“８０％”で光源１５５を点灯させる（Ｓ１１０）。なお、本例における“８０％”は第一調光率の一例である。
【００７３】
撮像装置１４０は、照明制御装置１２０からの指示に従って、照明器具１５０が、調光率“８０％”で点灯している期間に照明領域２００を撮像する。照明制御装置１２０は、この撮像結果である画像Ａを取得して、例えば記憶部１２８に格納する（Ｓ１１１）。
【００７４】
次に、その後、照明器具１５０の点灯制御部１５２は、照明制御装置１２０からの指示に従い、ＰＷＭ信号により調光率“２０％”で光源１５５を点灯させる（Ｓ１１２）。なお、本例における“２０％”は第二調光率の一例である。つまり、照明器具１５０は、画像Ａの撮像時における、調光率“８０％”の１／４の調光率で点灯する。
【００７５】
撮像装置１４０は、照明制御装置１２０からの指示に従って、照明器具１５０が調光率“２０％”で点灯している期間に照明領域２００を撮像する。照明制御装置１２０は、この撮像結果である画像Ｂを取得して、例えば記憶部１２８に格納する（Ｓ１１３）。
【００７６】
照明制御装置１２０の算出部１２２は、記憶部１２８に格納された画像Ａおよび画像Ｂのそれぞれを、例えば単位領域ごとに読み出す。算出部１２２はさらに、画像Ａの単位領域である第一領域と、画像Ｂの単位領域である、第一領域に対応する位置の第二領域との輝度値の変化の大きさを示す変化指標値を算出する（Ｓ１２０）。
【００７７】
本実施の形態では、単位領域は１つの画素で構成されている。つまり、算出部１２２は、画像Ａと画像Ｂとの間の輝度値の変化の大きさを示す変化指標値を画素ごとに算出する。
【００７８】
算出部１２２による変化指標値の算出処理の例を、図５を参照しながら説明する。なお、図５では、変化指標値の算出の対象として、画像Ａの９画素（３×３画素）と、これらの画素に対応する、画像Ｂの９画素（３×３画素）とが例示されている。
【００７９】
また、各画素に表示された“１６０”等の数値は、各画素の輝度値を表しており、本実施の形態では、輝度値は“０”から“２５５”までの２５６段階のいずれかの数値である。
【００８０】
算出部１２２は、これらの画素の画素値（輝度値）から、画像Ａに対する画像Ｂの各画素の輝度値の比率を算出する。
【００８１】
例えば、図５において、画像Ａの左上の画素の輝度値は“１６０”であり、画像Ｂの対応する画素（画像Ｂの左上の画素）の輝度値は“４５”である。
【００８２】
この場合、当該単位領域（左上の画素）の変化指標値として、“１６０”に対する“４５”の比率（割合）である“２８％”が算出部１２２によって算出される。
【００８３】
つまり、本実施の形態における変化指標値は、小さいほど輝度値の変化が大きい（大きいほど輝度値の変化が小さい）ことを示す値である。
【００８４】
算出部１２２は、このようにして、画像Ａと画像Ｂとの間の単位領域ごと（画素ごと）の輝度値の変化の大きさを示す変化指標値を算出する。
【００８５】
その結果、図５の右側に示すような、算出部１２２の算出結果を示す、画素ごとの変化指標値で構成されるマトリクスが得られる。
【００８６】
ここで、画像Ａおよび画像Ｂの生成時（撮像時）の撮像環境の明るさは、上述のように大きく異なり、具体的には、照明器具１５０の調光率が８０％（画像Ａ）と２０％（画像Ｂ）である。
【００８７】
しかしながら、画像Ａおよび画像Ｂそれぞれの右上の画素に着目すると、輝度値は、“２５５”から“２５０”へ変化している。この結果から、この位置の画素は、撮像環境の明るさの変化への追随性（応答性）が低く、かつ、比較的に高い輝度値が維持されていることが分かる。これは、照明領域２００における当該画素に対応する位置に、例えば反射率が比較的に高い物体（金属体等）が存在しているためと考えられる。
【００８８】
また、画像Ａおよび画像Ｂそれぞれの左下の画素に着目すると、輝度値は、“３０”から“２９”へ変化している。この結果から、この位置の画素は、撮像環境の明るさの変化への追随性（応答性）が低く、かつ、比較的に低い輝度値が維持されていることが分かる。これは、照明領域２００における当該画素に対応する位置に、例えば反射率が比較的に低い物体（黒い布等）が存在しているためと考えられる。
【００８９】
本実施の形態に係る照明制御装置１２０では、上記のような撮像環境の明るさの変化の大きさに比べて、輝度値の変化が小さいと判断される１以上の画素を無効画素として扱い、無効画素以外の画素を有効画素として扱う。また、有効画素の輝度値は、明るさ検出の対象として（調光率決定に用いられる数値として）扱われる。
【００９０】
例えば、変化指標値が１５％〜３５％に含まれる画素が有効画素として扱われる。なお、これら“１５％”および“３５％”のそれぞれは、変化指標値の下限および上限の一例であり、２回の撮像時における調光率の比率を基準として設定された値（１／４＝２５％から１０ポイント以内）である。つまり、変化指標値の下限および上限を示す値は、他の値であってもよい。
【００９１】
このような有効画素（無効画素）の特定は、特定部１２４によって実行される。
【００９２】
具体的には、特定部１２４は、算出部１２２による算出結果を、記憶部１２８から読み出し、変化指標値が１５％〜３５％に含まれる画素を有効画素として特定する。
【００９３】
つまり、特定部１２４は、算出部１２２に算出された単位領域（画素）ごとの変化指標値から、変化指標値に示される輝度値の変化の大きさが第一閾値以上（変化指標値が３５％以下）の少なくとも１つの単位領域（画素）で構成される有効領域を特定する。なお、輝度値の変化の大きさが第一閾値よりも小さな少なくとも１つの単位領域（画素）で構成される無効領域が特定されることで、有効領域が特定されてもよい。
【００９４】
より詳細には、特定部１２４は、変化指標値に示される輝度値の変化の大きさが第一閾値以上（変化指標値が３５％以下）であって、かつ、第二閾値以下（変化指標値が１５％以上）の少なくとも１つの単位領域（画素）で構成される有効領域を特定する。
【００９５】
図５に示す例では、算出部１２２の算出結果（画素ごとの変化指標値で構成されるマトリクス）において、右上の画素と左下の画素とが無効画素（無効領域）として特定される。これにより、これら無効画素を除く画素が有効画素として特定される（Ｓ１２１）。これら有効画素で構成される領域は有効領域の一例である。
【００９６】
このようにして特定された有効画素（有効領域）を示す情報は、例えば記憶部１２８に格納され、決定部１２６に参照される。
【００９７】
決定部１２６は、このように特定された有効画素（有効領域）を示す情報を記憶部１２８から読み出して調光率の決定を行う。本実施の形態では、決定部１２６は、具体的には以下の処理を実行する。
【００９８】
決定部１２６は、有効画素（有効領域）を示す情報に基づき、無効画素数（無効領域の大きさ）と全画素数とを比較する（Ｓ１２２）。この比較の結果、無効画素数が、例えば、全画素数の半分より小さい場合（Ｓ１２２でＮｏ）、演算画素として有効画素を設定する（Ｓ１２３）。演算画素とは、その輝度値が、決定部１２６による調光率の決定に用いられる画素である。
【００９９】
つまり、照明制御装置１２０が撮像装置１４０から取得する画像の全画素数のうち、明るさ検出の対象として相応しい画素（有効画素）が、全画素数の半分以上であると判断される場合、取得した画像における有効画素の輝度値が、調光率の決定に用いられる。
【０１００】
また、上記無効画素数と全画素数との比較（Ｓ１２２）の結果、無効画素数が、例えば、全画素数の半分以上である場合（Ｓ１２２でＹｅｓ）、演算画素とし全画素を設定する（Ｓ１２４）。
【０１０１】
つまり、決定部１２６は、有効領域に含まれる単位領域の数（有効画素の数）が所定の数未満である場合、撮像装置１４０が撮像することで得られた画像を構成する複数の画素のうちの、当該有効領域に含まれる画素の輝度値および有効領域以外の領域に含まれる画素（無効画素）の輝度値を用いて、照明器具１５０に指示すべき調光率を決定する。すなわち、決定部１２６における調光率の決定において、無効画素の輝度値も利用される。
【０１０２】
この処理は、照明領域２００において、例えば光の反射率が比較的に高いまたは比較的に低い物体が占める割合が多いことに起因して、有効画素として特定される画素の数が明るさ検出（調光率の決定）に十分な数に達していない場合の例外処理である。
【０１０３】
このように、撮像装置１４０から得られる画像の全画素数のうち、明るさ検出の対象として相応しい画素（有効画素）が、全画素数の半分に満たないと判断される場合、処理対象画像における全画素の輝度値が、調光率の決定に用いられる。
【０１０４】
決定部１２６は、上記処理により設定された複数の演算画素の輝度値の平均値を、照明領域２００の明るさを示す測定値として算出する（Ｓ１３０）。
【０１０５】
例えば、調光率“８０％”の環境下で撮像された画像Ａにおける全ての演算画素の輝度値の平均値が、当該時点の、照明領域２００の明るさを示す測定値として求められる。
【０１０６】
または、演算画素の設定（Ｓ１２３またはＳ１２４）の後に、照明制御装置１２０からの指示によりあらためて設定された調光率（例えば６０％）で照明器具１５０が点灯し、その状態で、撮像装置１４０によって照明領域２００が撮像される。照明制御装置１２０は、当該撮像によって得られる画像を取得し、決定部１２６は、当該画像における複数の演算画素の平均値を、当該時点の、照明領域２００の明るさを示す測定値として算出する。
【０１０７】
ここで上記処理を明確に説明するために、撮像装置１４０が撮像することで得られる画像を、９画素（３×３画素）で構成される画像（図５参照）に単純化して以下の説明を行う。また、図５の左側に示される画像Ａおよび画像Ｂから、図５の右側に示される、画素ごとの変化指標値で構成されるマトリクスが得られた場合を想定する。
【０１０８】
この場合、右上の画素と左下の画素を除く７つの画素（背景に斜線が付されていない７つの画素）で構成される領域が有効領域として特定される。つまり、無効画素数は２であり、全画素数９の半分よりも少ない（Ｓ１２２でＮｏ）。その結果、これら７つの有効画素が演算画素に設定される（Ｓ１２３）。
【０１０９】
その後、照明制御装置１２０は、例えば調光率“６０％”で照明器具１５０を点灯させ、かつ、撮像装置１４０に照明領域２００を撮像させる。
【０１１０】
決定部１２６は、この撮像によって得られた画像を構成する９画素のうち、上記のように演算画素として設定された７つの有効画素（右上の画素と左下の画素を除く７つの画素）の輝度値の平均値を、照明領域２００の明るさを示す測定値として算出する（Ｓ１３０）。
【０１１１】
決定部１２６は、このようにして算出した照明領域２００の明るさを示す測定値と、例えば記憶部１２８に保持されている目標とする輝度値（目標値）とを比較し、その比較結果に応じて調光率を決定し、決定した調光率を照明器具１５０に指示する（Ｓ１４０）。
【０１１２】
具体的には、決定部１２６は、測定値が目標値よりも低ければ、その時点における照明器具１５０で用いられている調光率“６０％”よりも高い値を、新たな調光率として決定する。また、逆に、測定値が目標値よりも高ければ、決定部１２６は、その時点における照明器具１５０で用いられている調光率“６０％”よりも低い値を、新たな調光率として決定する。
【０１１３】
例えば、目標値が“１６０”であり、測定値が“１２０”である場合を想定する。この場合、決定部１２６は、例えば、“１６０／１２０”から得られる“４／３”を、現在の調光率“６０％”に乗算する。決定部１２６は、この乗算により得られた“８０％”を新たな調光率として決定し、照明器具１５０に調光率“８０％”で点灯させる。
【０１１４】
その後、決定された新たな調光率で照明器具１５０が点灯した状態での明るさ検出（Ｓ１３０）および検出結果に応じた照明制御（Ｓ１４０）が繰り返され、その結果、照明領域２００における明るさが所定の範囲に維持される。
【０１１５】
なお、明るさの検出結果に基づく照明制御（照明器具の調光率の調整）の手法は、上記手法に限定されず、様々な手法が採用し得る。
【０１１６】
例えば、目標値が測定値よりも低ければ、決定部１２６は、測定値が、目標値から所定の範囲内に入るまで、調光率を僅かに（例えば１％）増加させながら、明るさ検出（Ｓ１３０）と、照明制御（Ｓ１４０）とを繰り返してもよい。
【０１１７】
なお、明るさ検出（Ｓ１３０）および照明制御（Ｓ１４０）の繰り返しの頻度については、特定の頻度に限定されない。例えば、撮像装置１４０が１秒ごとに照明領域２００を撮像し、決定部１２６は１秒ごとに得られる画像から、既に実行された演算画素の設定処理（Ｓ１２３またはＳ１２４）における設定に従った明るさ検出（Ｓ１３０）と照明制御（Ｓ１４０）とを繰り返してもよい。
【０１１８】
また、画像Ａと画像Ｂとの比較の結果に基づく演算画素の設定に係る処理（Ｓ１００〜Ｓ１２２またはＳ１２３）は、照明制御装置１２０の電源オンの直後以外のタイミングで実行されてもよい。例えば、ユーザが操作するリモコンからの制御信号、または、照明制御装置１２０と通信する外部機器からの制御信号に応じて、演算画素の設定に係る処理が実行されてもよい。
【０１１９】
また、照明制御装置１２０の電源がオンにされている期間に、例えば１時間ごとなど、定期的に演算画素の設定に係る処理が実行されてもよい。
【０１２０】
すなわち、撮像装置１４０から取得される各画像に適用される、１以上の演算画素の位置および範囲は、照明制御装置１２０の外部からの信号または照明制御装置１２０の内部で発生する信号をトリガとして任意のタイミングで更新されてもよい。
【０１２１】
本実施の形態の照明システム１００では、図４に示す一連の動作を行うことで、照明領域２００に、例えば光の反射率の高いものおよび光の反射率の低いものが混在している場合であっても、照明領域２００の明るさが適切に検出される。
【０１２２】
これにより、照明器具１５０の調光率の制御（調整）が、照明領域２００の現実の明るさに即して適切に実行される。つまり、照明領域２００の明るさが精度よく維持される。
【０１２３】
なお、実施の形態に係る照明システム１００の構成および処理内容は、図１〜図５を用いて説明された構成および処理内容であってもよい。そこで、照明システム１００の構成または処理内容についての変形例または補足を、その他の実施の形態として以下に説明する。
【０１２４】
（その他の実施の形態）
上記実施の形態では、特定部１２４は、算出部１２２により算出された、画素ごとの変化指標値（図５参照）から、変化指標値が１５％〜３５％に含まれる１以上の画素で構成される有効領域を特定するとした。
【０１２５】
つまり、特定部１２４による有効領域の特定において、単位領域ごとの変化指標値に対する上限と下限とが設定されていた。しかし、単位領域ごとの変化指標値に対する下限、すなわち、変化指標値に示される変化の大きさについての上限が設定されていなくてもよい。
【０１２６】
つまり、照明制御装置１２０では、変化指標値に示される変化の大きさが比較的に大きい（現実の明るさの変化への追随性の高い）１以上の単位領域を特定できればよく、かつ、本実施の形態では、変化指標値が大きいほど輝度値の変化は小さい。そのため、変化指標値の上限のみが設定され、下限が設定されていなくてもよい。
【０１２７】
なお、変化指標値の下限を設定することで、輝度値の変化が、調光率の変化（撮像環境の明るさの変化）と比べてあまりにも大きい１以上の単位領域が、有効領域から除外される。そのため、例えば、照明領域２００内の物体が２回の撮像の間に移動したことに起因して、撮像環境の明るさの変化が適切に輝度値に反映されなかった領域を、明るさ検出の対象から除外することができる。
【０１２８】
また、本実施の形態では、決定部１２６は、複数の演算画素の輝度値の平均値を、照明領域２００の明るさを示す測定値として算出するとした。しかし、照明領域２００の明るさを示す測定値は、複数の演算画素の輝度値の平均値である必要はない。例えば、演算画素として選択された複数の画素の輝度値の中央値（メジアン）、最大値、最小値、または最大値と最小値との平均値が、照明領域２００の明るさを示す測定値として算出されてもよい。
【０１２９】
また、本実施の形態では、画像Ａおよび画像Ｂの撮像時における調光率は、“８０％”および“２０％”であるとした（図４および図５参照）。しかし、これら調光率は例示であり、他の値であってもよい。つまり、画像Ａおよび画像Ｂの撮像時における調光率が異なっていれば、原則として有効領域の特定は可能である。
【０１３０】
また、撮像装置１４０による画像Ａおよび画像Ｂの撮像の順番にも限定はなく、例えば、画像Ｂが撮像された後に、画像Ａが撮像されてもよい。つまり、照明器具１５０の調光率を比較的に低く設定して１回目の撮像を行い、照明器具１５０の調光率を比較的に高く設定して２回目の撮像を行い、その結果得られる２枚の画像を比較することで、照明領域２００の明るさ検出が行われてもよい。
【０１３１】
また、本実施の形態において、変化指標値は、画像Ａの単位領域の輝度値に対する、画像Ｂの単位領域の輝度値の比率であるとした（例えば、図５参照）。しかし、変化指標値は、画像Ａと画像Ｂとの間の単位領域ごとの輝度値の変化の大きさを示す値であれば、どのような手順または手法で算出されてもよい。
【０１３２】
つまり、変化指標値は、例えば、画像Ｂの単位領域の輝度値に対する、画像Ａの単位領域の輝度値の比率であってもよい。この場合、変化指標値は、大きいほど輝度値の変化が大きい（小さいほど輝度値の変化が小さい）ことを示す値である。
【０１３３】
また、変化指標値は、例えば、画像Ａの単位領域の輝度値と、画像Ｂの単位領域の輝度値のとの差分であってもよい。例えば、画像Ａの単位領域の輝度値から画像Ｂの単位領域の輝度値を減算し、その結果を変化指標値として扱ってもよい。この場合、例えば、変化指標値は、大きいほど輝度値の変化が大きい（小さいほど輝度値の変化が小さい）ことを示す値である。
【０１３４】
また、本実施の形態において、単位領域は１つの画素で構成されているとした。しかし、単位領域は複数の画素で構成されていてもよい。
【０１３５】
図６は、複数の画素で構成される単位領域ごとの変化指標値の算出例を示す第１の図である。
【０１３６】
算出部１２２は、例えば、画像Ａおよび画像Ｂのそれぞれについて、例えば、１つの単位領域に含まれる４つの画素の輝度値の平均値を、当該単位領域の輝度値として算出する。
【０１３７】
これにより、画像Ａの単位領域である第一領域に含まれる複数の画素の平均値Ｖａが、第一領域の輝度値として求められる。また、画像Ｂの単位領域である第二領域に含まれる複数の画素の平均値Ｖｂが、第二領域の輝度値として求められる。
【０１３８】
算出部１２２はさらに、画像Ａと画像Ｂとの間の単位領域ごとの変化指標値である“Ｖｂ／Ｖａ”を算出する。
【０１３９】
特定部１２４は、算出部１２２によって算出された、４つの画素からなる単位領域ごとの変化指標値から、所定の条件（例えば、１５％〜３５％）を満たす変化指標値に対応する１以上の単位領域を特定する。つまり、当該所定条件を満たす少なくとも１つの単位領域で構成される有効領域が特定される。
【０１４０】
その後、決定部１２６は、特定部１２４により特定された有効領域を示す情報から、無効画素数を算出し、全画素数との比較（図４のＳ１２２）を行う。その後、当該比較の結果に基づく、演算画素の設定（図４のＳ１２３またはＳ１２４）、明るさ検出（図４のＳ１３０）、および照明制御（図４のＳ１４０）が実行される。
【０１４１】
このように、照明領域２００についての明るさ検出のための、２枚の画像の比較が、複数の画素で構成される単位領域ごとに行われてもよい。
【０１４２】
また、複数の画素で構成される単位領域の輝度値は、当該複数の画素の輝度値の平均値でなくてもよい。例えば、当該複数の画素のうちの選択された１つの画素の輝度値が、当該単位領域の輝度値として扱われてもよい。
【０１４３】
図７は、複数の画素で構成される単位領域ごとの変化指標値の算出例を示す第２の図である。
【０１４４】
算出部１２２は、例えば、画像Ａおよび画像Ｂのそれぞれについて、４つの画素で構成される単位領域ごとの輝度値として、当該４つの画素から選択した１つの画素の輝度値を、当該単位領域の輝度値として算出する。
【０１４５】
例えば図７に示すように、４つの画素のうちの左上の画素が選択され、当該画素の輝度値が当該単位領域の輝度値として決定される。なお、１つの単位領域を構成する複数の画素のうちのどの画素の輝度値を選択するかについて特に限定はなく、例えばランダムに選択されてもよい。
【０１４６】
これにより、画像Ａの単位領域である第一領域に含まれる複数の画素のうちの１つの画素の輝度値Ｖｃが、第一領域の輝度値として求められる。また、画像Ｂの単位領域である第二領域に含まれる複数の画素のうちの１つの画素の輝度値Ｖｄが、第二領域の輝度値として求められる。
【０１４７】
その後、図６についての説明と同様に、単位領域ごとの変化指標値である“Ｖｄ／Ｖｃ”の算出、算出結果を用いた有効領域の特定、有効領域に含まれる複数の画素の輝度値に基づき明るさ検出、および、明るさ検出の結果に基づく照明制御等が実行される。
【０１４８】
以上、図６および図７を用いて説明したように、照明制御装置１２０は、複数の画素で構成される単位領域ごとに、２つの画像間における輝度値の変化の大きさを求めてもよい。
【０１４９】
これにより、例えば撮像装置１４０が有するＣＭＯＳイメージセンサの撮像素子の数が比較的に多い場合、つまり、撮像装置１４０から得られる画像の画素数が比較的に多い場合において、変化指標値の算出に係る処理負荷を低減することができる。
【０１５０】
なお、上記処理負荷を低減させる効果は、例えば、撮像装置１４０から得られる画像を１以下の所定の倍率で縮小し、縮小後の画像について、画素ごとに明るさ検出等を行うことによっても得ることができる。
【０１５１】
また、本実施の形態に係る照明システム１００は、上述のように２以上の照明器具１５０を備えてもよい。
【０１５２】
図８は、３つの照明器具１５０を備える照明システムの構成例を示す図である。
【０１５３】
なお、図８の（ａ）は、照明システム１００ａの構成要素のレイアウトの一例を示す上面図であり、図８の（ｂ）は、照明システム１００ｂの構成要素のレイアウトの一例を示す上面図である。
【０１５４】
図８の（ａ）に示す照明システム１００ａは、３つの照明器具１５０を備えており、照明制御装置１２０は、３つの照明器具１５０に対して、例えば同一の指示を行う。つまり、照明制御装置１２０の電源オンの後に、３つの照明器具１５０を調光率“８０％”で点灯させて（図４のＳ１１０）、画像Ａを取得する（図４のＳ１１１）。また、その後、照明制御装置１２０は、３つの照明器具１５０を調光率“２０％”で点灯させて（図４のＳ１１２）、画像Ｂを取得する（図４のＳ１１３）。さらに、照明制御装置１２０は、その後に決定した調光率で３つの照明器具１５０を点灯させる（図４のＳ１４０）。
【０１５５】
このような３つの照明器具１５０の制御については、図８の（ｂ）に示す照明システム１００ｂでも同じである。
【０１５６】
また、照明システム１００ａおよび１００ｂはともに、三角形の頂点のそれぞれに照明器具１５０が配置されたレイアウトが採用されており、当該三角形の中央部に、撮像装置１４０が配置されている。
【０１５７】
この場合、３つの照明器具１５０によって照らされる照明領域２００のほぼ中央の直上に撮像装置１４０が位置するため、撮像装置１４０から照明領域２００が均等に撮像された画像が取得される。これにより、照明領域２００の明るさ検出の精度を向上させることができる。
【０１５８】
また、照明システム１００ａでは、照明制御装置１２０は撮像装置１４０とともに天井に配置されており、照明システム１００ｂでは、照明制御装置１２０は天井ではなく、照明システム１００ｂが配置された部屋の壁面に配置されている。
【０１５９】
つまり照明制御装置１２０の配置位置は、天井である必要はなく、例えば、部屋の大きさ、家具等のレイアウト、および、照明制御装置１２０のメンテナンスの利便性等を考慮して決定すればよい。
【０１６０】
また、照明制御装置１２０が天井に配置される場合、ユーザは、例えば、赤外線リモコン等を用いて照明制御装置１２０の電源のオンおよびオフ等の操作を行うことができる。
【０１６１】
また、照明制御装置１２０が部屋の壁面に配置される場合、ユーザは、例えば、照明制御装置１２０に配置されたボタン等によって電源のオンおよびオフ等の操作を行うことができる。
【０１６２】
また、本実施の形態では、撮像装置１４０は、照明制御装置１２０および照明器具１５０のそれぞれとは別体であるが、撮像装置１４０は、照明制御装置１２０または照明器具１５０に備えられてもよい。
【０１６３】
また、本発明は、例えば、点灯制御部１５２、光源１５５、照明制御装置１２０および撮像装置１４０を備える照明器具として実現されてもよい。つまり、上記実施の形態に係る照明システム１００は、照明システム１００と等価の構成を備える照明器具として実現することもできる。
【０１６４】
また、本発明は、照明制御装置１２０が行う特徴的な処理をコンピュータに実行させるプログラムとして実現することもできる。そして、そのようなプログラムは、ＣＤ−ＲＯＭ等の記録媒体およびインターネット等の伝送媒体を介して流通させることができる。
【０１６５】
さらに、照明制御装置１２０の特徴的な構成要素を含む集積回路として実現することもできる。
【０１６６】
その他、上記実施の形態等に対して当業者が思いつく各種変形を施して得られる形態、および、本発明の趣旨を逸脱しない範囲で上記実施の形態等における構成要素および機能を任意に組み合わせることで実現される形態も本発明に含まれる。
【符号の説明】
【０１６７】
１００、１００ａ、１００ｂ  照明システム
１２０  照明制御装置
１２２  算出部
１２４  特定部
１２６  決定部
１２８  記憶部
１４０  撮像装置
１５０  照明器具
１５２  点灯制御部
１５５  光源
２００  照明領域
【図１】
2015088252.tif 000003
【図２】
2015088252.tif 000004
【図３】
2015088252.tif 000005
【図４】
2015088252.tif 000006
【図５】
2015088252.tif 000007
【図６】
2015088252.tif 000008
【図７】
2015088252.tif 000009
【図８】
2015088252.tif 000010